(57)【要約】【課題】記録紙の上向き積載、下向き積載にかかわらずページ順に排紙トレイに積載することができ、かつ、記録紙の反転搬送部が簡素な画像形成装置を得ること。【解決手段】排紙部に到達した記録紙を記録紙後端部を前にして再び排紙部まで搬送して表裏反転させるループ状の反転搬送部と、前記記憶部に記憶された複数ページ分の画像情報を逆ページ順に読み出させ、逆ページ順に読み出された画像情報を用いて前記画像形成部において給紙された複数の記録紙に対し画像形成させ、前記画像形成部から排紙部に搬送された記録紙を前記反転搬送部、排紙部を経由させて排紙トレイに排出させるよう制御する制御部と、を備え、前記ループ状の反転搬送部を経由させることで、排紙トレイに対し、画像形成面を上向きにしかつ上から下に向かってページ順に記録紙を積載可能とした。【選択図】        図２
2007156213.tif 000002
【特許請求の範囲】
【請求項１】
画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を下向きにして積載される画像形成装置において、
前記排紙部に到達した記録紙を記録紙後端部を前にして再び排紙部まで搬送して表裏反転させるループ状の反転搬送部と、
前記記憶部に記憶された複数ページ分の画像情報を逆ページ順に読み出させ、逆ページ順に読み出された画像情報を用いて前記画像形成部において給紙された複数の記録紙に対し画像形成させ、前記画像形成部から排紙部に搬送された記録紙を前記反転搬送部、排紙部を経由させて排紙トレイに排出させるよう制御する制御部と、
を備え、前記ループ状の反転搬送部を経由させることで、排紙トレイに対し、画像形成面を上向きにしかつ上から下に向かってページ順に記録紙を積載可能としたことを特徴とする画像形成装置。
【請求項２】
画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を上向きにして積載される画像形成装置において、
前記排紙部に到達した記録紙を記録紙後端部を前にして再び排紙部まで搬送して表裏反転させるループ状の反転搬送部と、
前記記憶部に記憶された複数ページ分の画像情報を逆ページ順に読み出させ、逆ページ順に読み出された画像情報を用いて前記画像形成部において給紙された複数の記録紙に対し画像形成させ、前記画像形成部から排紙部に搬送された記録紙を排紙部を経由させて排紙トレイに排出させるよう制御する制御部と、
を備え、排紙トレイに対し、画像形成面を上向きにしかつ上から下に向かってページ順に記録紙を積載可能としたことを特徴とする画像形成装置。
【請求項３】
画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を下向きにして積載される画像形成装置において、
前記排紙部に到達した記録紙を記録紙後端部を前にして再び排紙部まで搬送して表裏反転させるループ状の反転搬送部と、
前記記憶部に記憶された１ジョブの画像情報をページ順に読み出させ、ページ順に読み出された画像情報を用いて前記画像形成部において給紙された複数の記録紙に対し画像形成させ、前記画像形成部から排紙部に搬送された記録紙を前記排紙部を経由させて排紙トレイに画像形成面を下向きにして排出させるよう制御する第１の処理と、前記記憶部に記憶された前記１ジョブの画像情報を逆ページ順に読み出させ、逆ページ順に読み出された画像情報を用いて前記画像形成部において給紙された複数の記録紙に対し画像形成させ、前記画像形成部から排紙部に搬送された記録紙を前記反転搬送部、排紙部を経由させて排紙トレイに画像形成面を上向きにして排出させるよう制御する第２の処理と、を交互に行なわせる制御部と、
を備え、１ジョブの画像情報を複数部数画像形成するときに記録紙の上向き積載と下向き積載を交互に行なって部数仕分け可能としたことを特徴とする画像形成装置。
【請求項４】
画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙
が画像形成面を上向きにして積載される画像形成装置において、
前記排紙部に到達した記録紙を記録紙後端部を前にして再び排紙部まで搬送して表裏反転させるループ状の反転搬送部と、
前記記憶部に記憶された１ジョブの画像情報を逆ページ順に読み出させ、逆ページ順に読み出された画像情報を用いて前記画像形成部において給紙された複数の記録紙に対し画像形成させ、前記画像形成部から排紙部に搬送された記録紙を前記排紙部を経由させて排紙トレイに画像形成面を上向きにして排出させるよう制御する第１の処理と、前記記憶部に記憶された前記１ジョブの画像情報をページ順に読み出させ、ページ順に読み出された画像情報を用いて前記画像形成部において給紙された複数の記録紙に対し画像形成させ、前記画像形成部から排紙部に搬送された記録紙を前記反転搬送部、排紙部を経由させて排紙トレイに画像形成面を下向きにして排出させるよう制御する第２の処理と、を交互に行なわせる制御部と、
を備え、１ジョブの画像情報を複数部数画像形成するときに記録紙の上向き積載と下向き積載を交互に行なって部数仕分け可能としたことを特徴とする画像形成装置。
【請求項５】
画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を下向きにして積載される画像形成装置において、
前記排紙部に到達した記録紙を記録紙後端部を前にして再び排紙部まで搬送して表裏反転させるループ状の反転搬送部と、
前記記憶部に記憶された複数ジョブの画像情報の内、所定のジョブの画像情報をページ順に読み出させ、ページ順に読み出された画像情報を用いて前記画像形成部において給紙された記録紙に対し画像形成させ、前記画像形成部から排紙部に搬送された記録紙を前記排紙部を経由させて排紙トレイに画像形成面を下向きにして排出させるよう制御する第１の処理と、前記記憶部に記憶された次のジョブの画像情報を逆ページ順に読み出させ、逆ページ順に読み出された画像情報を用いて前記画像形成部において給紙された記録紙に対し画像形成させ、前記画像形成部から排紙部に搬送された記録紙を前記反転搬送部、排紙部を経由させて排紙トレイに画像形成面を上向きにして排出させるよう制御する第２の処理と、を交互に行なわせる制御部と、
を備え、複数ジョブの画像情報をそれぞれ画像形成するときに記録紙の上向き積載と下向き積載を交互に行なってジョブ仕分け可能としたことを特徴とする画像形成装置。
【請求項６】
画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を上向きにして積載される画像形成装置において、
前記排紙部に到達した記録紙を記録紙後端部を前にして再び排紙部まで搬送して表裏反転させるループ状の反転搬送部と、
前記記憶部に記憶された複数ジョブの画像情報の内、所定のジョブの画像情報を逆ページ順に読み出させ、逆ページ順に読み出された画像情報を用いて前記画像形成部において給紙された記録紙に対し画像形成させ、前記画像形成部から排紙部に搬送された記録紙を前記排紙部を経由させて排紙トレイに画像形成面を上向きにして排出させるよう制御する第１の処理と、前記記憶部に記憶された次のジョブの画像情報をページ順に読み出させ、ページ順に読み出された画像情報を用いて前記画像形成部において給紙された記録紙に対し画像形成させ、前記画像形成部から排紙部に搬送された記録紙を前記反転搬送部、排紙部を経由させて排紙トレイに画像形成面を下向きにして排出させるよう制御する第２の処理と、を交互に行なわせる制御部と、
を備え、複数ジョブの画像情報をそれぞれ画像形成するときに記録紙の上向き積載と下向き積載を交互に行なってジョブ仕分け可能としたことを特徴とする画像形成装置。
【請求項７】
前記ループ状の反転搬送部が、画層形成部より下流側に合流されることを特徴とする請求項１〜６のいずれかに記載の画像形成装置。
【請求項８】
前記ループ状の反転搬送部が、画層形成部より上流側に合流されることを特徴とする請求項１〜６のいずれかに記載の画像形成装置。
【請求項９】
前記制御部が、予め定めた特定のジョブの画像形成済の全ての記録紙の、前記排紙トレイ上で上向きになる面に、前記特定のジョブの記録紙であることを示す識別マークを形成するよう前記画像形成部を制御することを特徴とする請求項８記載の画像形成装置。
【請求項１０】
前記制御部が、予め定めた特定のジョブの画像形成済の最終排出記録紙の、前記排紙トレイ上で上向きになる面に、前記特定のジョブの記録紙であることを示す識別マークを形成するよう前記画像形成部を制御することを特徴とする請求項８記載の画像形成装置。
【請求項１１】
前記特定のジョブが、ファクシミリ出力であることを特徴とする請求項９又は１０記載の画像形成装置。
【発明の詳細な説明】
【技術分野】
【０００１】
本発明は、電子写真方式、静電記録方式、インクジェット方式、イオノグラフィー方式又は磁気記録方式等の画像形成方式を用いた白黒又はカラーの複写機、プリンタ、ファクシミリ、又は、これらを複合した機能を有するデジタル複合機等の画像形成装置に関する。
【背景技術】
【０００２】
近年、画像形成装置がデジタル化され、１台の画像形成装置で、複写機、プリンタ、ファクシミリ等の複数の機能を持つデジタル複合機が実用化されている。また、このようなデジタル複合機は、ネットワーク接続により複数のパソコンが共用することができる。
【０００３】
上記のようなデジタル複合機では、複数の異なる機能によって画像が形成された記録紙が、全て同じ排紙トレイ上に排出され、また、複数のパソコンからのプリント出力も同じ排紙トレイ上に排出される。
【０００４】
このため、排紙トレイ上に排出された記録紙のうち、どの記録紙がどの機能によって、また、どのパソコンから出力されたものであるかを一見して識別することが難しく、オペレータが記録紙に形成された画像内容を見て、それぞれを判別して仕分けするという煩雑な作業が必要であった。
【０００５】
そこで、このような仕分け作業を容易にするために、プリンタ出力の場合には記録紙を縦送りし、ファクシミリ出力の場合には記録紙を横送りして仕分けする縦横ソート方法や、記録紙を排出するときに記録紙の幅方向の排出位置を変えることのできるドギーテイル装置を設けて、ファクシミリ出力の場合には右寄せに排紙し、プリンタ出力の場合には左寄せに排紙して仕分けするシフトソート方法等が実用化されている。
【０００６】
また、大型の画像形成装置においては、複数の排紙トレイを設けて異なるジョブ毎の排紙を異なる排紙トレイに排出することも行われている。
【０００７】
しかしながら、上記のようなソート方法を行なうには、記録紙を縦横両方向を向けて搬送し画像形成するための機構や、記録紙の幅方向の排出位置を変えるためのドギーテイル機構や、複数の排紙トレイを切換える多段排紙機構等が必要となり、装置が複雑化、大型化し、高価になってしまうという問題があった。
【０００８】
そこで、記録紙の表裏を反転して排出することができる記録シート反転手段を用いて、複数部数出力するときの各部毎に、記録紙の画像形成面の表裏を逆にして排紙トレイ上に排出することにより、仕分け作業の軽減を図るものがある（例えば、特許文献１、特許文献２参照）。
【特許文献１】実開平２−５７５８号公報
【特許文献２】特開平３−２１１１６３号公報
【発明の開示】
【発明が解決しようとする課題】
【０００９】
しかしながら、特許文献１で提案された両面複写機（画像形成装置）の場合、複数部数の印刷を行うとき、１部毎に記録紙の画像形成面の表裏を切換えて排出すると、画像形成面を下向きにして（すなわちフェースダウンで）、排出した場合は、記録紙がページ順に積載されるものの、画像形成面を上向きにして（すなわちフェースアップで）、排出した
場合は、記録紙のページ順が逆になってしまうという問題があった。
【００１０】
特許文献２で提案された画像処理・収納装置（画像形成装置）の場合、コピー原稿を最終ページから先頭ページへページの逆順に読み取ってコピーするため、記録紙を反転してフェースダウンで排出するときに、画像形成して表裏反転した記録紙を一旦中間トレイに積載し、１部のコピーが終了後、先頭ページから記録紙を搬出して排紙トレイ上に排出することによって、ページ順に排出している。このため、一時的に記録紙を複数枚蓄積するための中間トレイと、中間トレイから記録紙を再度搬出するための給紙機構とが必要となり、装置が複雑化、大型化し、高価になるという問題があった。
【００１１】
本発明は、上記に鑑みてなされたものであって、記録紙の上向き積載、下向き積載にかかわらずページ順に排紙トレイに積載することができ、かつ、記録紙の反転搬送部が簡素な画像形成装置を得ることを目的とする。
【課題を解決するための手段】
【００１２】
上述した課題を解決し、目的を達成するために、本発明の画像形成装置は、画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を下向きにして積載される画像形成装置において、前記排紙部に到達した記録紙を記録紙後端部を前にして再び排紙部まで搬送して表裏反転させるループ状の反転搬送部と、前記記憶部に記憶された複数ページ分の画像情報を逆ページ順に読み出させ、逆ページ順に読み出された画像情報を用いて前記画像形成部において給紙された複数の記録紙に対し画像形成させ、前記画像形成部から排紙部に搬送された記録紙を前記反転搬送部、排紙部を経由させて排紙トレイに排出させるよう制御する制御部と、を備え、前記ループ状の反転搬送部を経由させることで、排紙トレイに対し、画像形成面を上向きにしかつ上から下に向かってページ順に記録紙を積載可能としたことを特徴とする。
【発明の効果】
【００１３】
本発明によれば、従来の中間トレイや再給紙機構を用いずに、画像形成面を上向きにして排紙トレイ上に積載される記録紙のページ順が早いページを上にして、正しいページ順に積載することができる、簡素で使い勝手の良い画像形成装置が得られる。
【発明を実施するための最良の形態】
【００１４】
請求項１記載の発明は、画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を下向きにして積載される画像形成装置において、前記排紙部に到達した記録紙を記録紙後端部を前にして再び排紙部まで搬送して表裏反転させるループ状の反転搬送部と、前記記憶部に記憶された複数ページ分の画像情報を逆ページ順に読み出させ、逆ページ順に読み出された画像情報を用いて前記画像形成部において給紙された複数の記録紙に対し画像形成させ、前記画像形成部から排紙部に搬送された記録紙を前記反転搬送部、排紙部を経由させて排紙トレイに排出させるよう制御する制御部と、を備え、前記ループ状の反転搬送部を経由させることで、排紙トレイに対し、画像形成面を上向きにしかつ上から下に向かってページ順に記録紙を積載可能としたことを特徴とする画像形成装置であり、従来の中間トレイや再給紙機構を用いずに、画像形成面を上向きにして排紙トレイ上に積載される記録紙のページ順が早いページを上にして、正しいページ順に積載することができる。
【００１５】
請求項２の発明は、画像情報を記憶する記憶部と、前記記憶部に記憶された画像情報に
基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を上向きにして積載される画像形成装置において、前記排紙部に到達した記録紙を記録紙後端部を前にして再び排紙部まで搬送して表裏反転させるループ状の反転搬送部と、前記記憶部に記憶された複数ページ分の画像情報を逆ページ順に読み出させ、逆ページ順に読み出された画像情報を用いて前記画像形成部において給紙された複数の記録紙に対し画像形成させ、前記画像形成部から排紙部に搬送された記録紙を排紙部を経由させて排紙トレイに排出させるよう制御する制御部と、を備え、排紙トレイに対し、画像形成面を上向きにしかつ上から下に向かってページ順に記録紙を積載可能としたことを特徴とする画像形成装置であり、従来の中間トレイや再給紙機構を用いずに、画像形成面を上向きにして排紙トレイ上に積載される記録紙のページ順が早いページを上にして、正しいページ順に積載することができる。
【００１６】
請求項３記載の発明は、画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を下向きにして積載される画像形成装置において、前記排紙部に到達した記録紙を記録紙後端部を前にして再び排紙部まで搬送して表裏反転させるループ状の反転搬送部と、前記記憶部に記憶された１ジョブの画像情報をページ順に読み出させ、ページ順に読み出された画像情報を用いて前記画像形成部において給紙された複数の記録紙に対し画像形成させ、前記画像形成部から排紙部に搬送された記録紙を前記排紙部を経由させて排紙トレイに画像形成面を下向きにして排出させるよう制御する第１の処理と、前記記憶部に記憶された前記１ジョブの画像情報を逆ページ順に読み出させ、逆ページ順に読み出された画像情報を用いて前記画像形成部において給紙された複数の記録紙に対し画像形成させ、前記画像形成部から排紙部に搬送された記録紙を反転搬送部、排紙部を経由させて排紙トレイに画像形成面を上向きにして排出させるよう制御する第２の処理と、を交互に行なわせる制御部と、を備え、１ジョブの画像情報を複数部数画像形成するときに記録紙の上向き積載と下向き積載を交互に行なって部数仕分け可能としたことを特徴とする画像形成装置であり、従来の中間トレイや再給紙機構を用いずに、第１の処理では、画像形成済の記録紙を、画像形成面を下向きにして排紙トレイ上にページ順に積載させ、第２の処理では、画像形成面を上向きにして排紙トレイ上に積載される記録紙のページ順が早いページを上にして積載させて、複数部数を区別することができる。
【００１７】
請求項４記載の発明は、画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を上向きにして積載される画像形成装置において、前記排紙部に到達した記録紙を記録紙後端部を前にして再び排紙部まで搬送して表裏反転させるループ状の反転搬送部と、前記記憶部に記憶された１ジョブの画像情報を逆ページ順に読み出させ、逆ページ順に読み出された画像情報を用いて前記画像形成部において給紙された複数の記録紙に対し画像形成させ、前記画像形成部から排紙部に搬送された記録紙を前記排紙部を経由させて排紙トレイに画像形成面を上向きにして排出させるよう制御する第１の処理と、前記記憶部に記憶された前記１ジョブの画像情報をページ順に読み出させ、ページ順に読み出された画像情報を用いて前記画像形成部において給紙された複数の記録紙に対し画像形成させ、前記画像形成部から排紙部に搬送された記録紙を前記反転搬送部、排紙部を経由させて排紙トレイに画像形成面を下向きにして排出させるよう制御する第２の処理と、を交互に行なわせる制御部と、を備え、１ジョブの画像情報を複数部数画像形成するときに記録紙の上向き積載と下向き積載を交互に行なって部数仕分け可能としたことを特徴とする画像形成装置であり、従来の中間トレイや再給紙機構を用いずに、第１の処理では、画像形成面を上向きにして排紙トレイ上に積載される記録紙のページ
順が早いページを上にして積載させ、第２の処理では、画像形成済の記録紙を、画像形成面を下向きにして排紙トレイ上にページ順に積載させて、複数部数を区別することができる。
【００１８】
請求項５記載の発明は、画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を下向きにして積載される画像形成装置において、前記排紙部に到達した記録紙を記録紙後端部を前にして再び排紙部まで搬送して表裏反転させるループ状の反転搬送部と、前記記憶部に記憶された複数ジョブの画像情報の内、所定のジョブの画像情報をページ順に読み出させ、ページ順に読み出された画像情報を用いて前記画像形成部において給紙された記録紙に対し画像形成させ、前記画像形成部から排紙部に搬送された記録紙を前記排紙部を経由させて排紙トレイに画像形成面を下向きにして排出させるよう制御する第１の処理と、前記記憶部に記憶された次のジョブの画像情報を逆ページ順に読み出させ、逆ページ順に読み出された画像情報を用いて前記画像形成部において給紙された記録紙に対し画像形成させ、前記画像形成部から排紙部に搬送された記録紙を前記反転搬送部、排紙部を経由させて排紙トレイに画像形成面を上向きにして排出させるよう制御する第２の処理と、を交互に行なわせる制御部と、を備え、複数ジョブの画像情報をそれぞれ画像形成するときに記録紙の上向き積載と下向き積載を交互に行なってジョブ仕分け可能としたことを特徴とする画像形成装置であり、従来の中間トレイや再給紙機構を用いずに、第１の処理では、所定のジョブの画像形成済の記録紙を、画像形成面を下向きにして排紙トレイ上にページ順に積載させ、第２の処理では、所定のジョブの次のジョブの画像形成済の記録紙を、画像形成面を上向きにし、排紙トレイ上に積載される記録紙のページ順が早いページを上にして積載させて、複数ジョブの記録紙を区別することができる。
【００１９】
請求項６記載の発明は、画像情報を記憶する記憶部と、前記記憶部に記憶された画像情報に基づき給紙された記録紙に対し画像形成する画像形成部と、画像形成された記録紙を排出する排紙部と、排紙部によって排出された記録紙を積載する排紙トレイとを備え、前記排紙トレイには記録紙が画像形成面を上向きにして積載される画像形成装置において、前記排紙部に到達した記録紙を記録紙後端部を前にして再び排紙部まで搬送して表裏反転させるループ状の反転搬送部と、前記記憶部に記憶された複数ジョブの画像情報の内、所定のジョブの画像情報を逆ページ順に読み出させ、逆ページ順に読み出された画像情報を用いて前記画像形成部において給紙された記録紙に対し画像形成させ、前記画像形成部から排紙部に搬送された記録紙を前記排紙部を経由させて排紙トレイに画像形成面を上向きにして排出させるよう制御する第１の処理と、前記記憶部に記憶された次のジョブの画像情報をページ順に読み出させ、ページ順に読み出された画像情報を用いて前記画像形成部において給紙された記録紙に対し画像形成させ、前記画像形成部から排紙部に搬送された記録紙を前記反転搬送部、排紙部を経由させて排紙トレイに画像形成面を下向きにして排出させるよう制御する第２の処理と、を交互に行なわせる制御部と、を備え、複数ジョブの画像情報をそれぞれ画像形成するときに記録紙の上向き積載と下向き積載を交互に行なってジョブ仕分け可能としたことを特徴とする画像形成装置であり、従来の中間トレイや再給紙機構を用いずに、第１の処理では、所定のジョブの画像形成済の記録紙を、画像形成面を上向きにし、排紙トレイ上に積載される記録紙のページ順が早いページを上にして積載させ、第２の処理では、所定のジョブの画像形成済の記録紙を、画像形成面を下向きにして排紙トレイ上にページ順に積載させて、複数ジョブの記録紙を区別することができる。
【００２０】
請求項７記載の発明は、前記ループ状の反転搬送部が、画層形成部より下流側に合流されることを特徴とする請求項１〜６のいずれかに記載の画像形成装置であり、反転搬送部
の経路を短くかつ簡素にして記録紙のひっかかり等を少なくすることができる。
【００２１】
請求項８記載の発明は、前記ループ状の反転搬送部が、画層形成部より上流側に合流されることを特徴とする請求項１〜６のいずれかに記載の画像形成装置であり、画像形成済の記録紙の裏面にも画像を形成することができ、いわゆる両面印刷（コピー、プリント）を行なうことができる。
【００２２】
請求項９記載の発明は、前記制御部が、予め定めた特定のジョブの画像形成済の全ての記録紙の、前記排紙トレイ上で上向きになる面に、前記特定のジョブの記録紙であることを示す識別マークを形成するよう前記画像形成部を制御することを特徴とする請求項８記載の画像形成装置であり、特定のジョブであることを示す識別マークが、常に排紙トレイ上で上向きになっているため、特定のジョブであることを容易に識別することができる。
【００２３】
請求項１０記載の発明は、前記制御部が、予め定めた特定のジョブの画像形成済の最終排出記録紙の、前記排紙トレイ上で上向きになる面に、前記特定のジョブの記録紙であることを示す識別マークを形成するよう前記画像形成部を制御することを特徴とする請求項８記載の画像形成装置であり、特定のジョブの記録紙を出力する場合、そのジョブが複数枚で構成されていても、特定のジョブであることを示す識別マークを、最終ページのみに形成すればよいので、インクやトナーなどの消費を抑制できるとともに、画像形成にかかる時間を短縮することができる。
【００２４】
請求項１１記載の発明は、前記特定のジョブが、ファクシミリ出力であることを特徴とする請求項９又は１０記載の画像形成装置であり、オペレータが意識して出力したのではないために、排紙トレイ上で見過ごされがちなファクシミリの記録紙を容易に認識することができる。
（実施の形態１）
以下、本発明の実施の形態１について、図面を参照して詳細に説明する。なお、各図において同一又は同等のものには、同一の符号を付してその説明は繰り返さない。
【００２５】
実施の形態１の画像形成装置は、紙文書やブック原稿などを複写するコピー機能、パソコン等から送信される電子データ等をプリントアウトするプリント機能、及びファクシミリ機能等の複数ジョブ機能を有する多機能のデジタル複合機である。なお、本発明は、単一機能の画像形成装置にも適用可能である。
【００２６】
図１は、実施の形態１及び後述する実施の形態２の画像形成装置の外観を示す斜視図であり、図２は、画像形成装置の全体構成を示す縦断面図であり、図３は、画像形成装置の原稿給紙トレイを折りたたんで収納した状態を示す斜視図であり、図４は、実施の形態１の画像形成装置の排紙トレイ上に積載された画像形成済の記録紙の状態を示す斜視図である。
【００２７】
図１及び図２に示すように、画像形成装置１００は、受信部１１０、読取部１２０、画像形成部１３０、自動原稿給紙部１４０、排紙部１５０、第１の給紙部１７０、第２の給紙部１８０、ループ状の反転搬送部１９０等を備えている。
【００２８】
受信部１１０は、パソコンまたは記憶媒体（メモリカード）などの外部機器から専用ケーブルやＬＡＮ（無線ＬＡＮを含む）を介して画像情報を取得する。また、公衆回線を介してファクシミリによる画像情報を取得する。
【００２９】
画像形成装置１００には、図示しないが、ＬＡＮケーブルが接続されるＬＡＮポート、公衆回線が接続されるモジュラージャック、メモリカードなどが装着されるカードスロッ
トなどが備えられ、これらは受信部１１０に接続されている。
【００３０】
読取部１２０は、図２に示すように、画像形成部１３０の上方に配置されている。読取部１２０は、図１及び図２に示すように、オペレータの手操作で複写するシート原稿Ｓ又はブック原稿を載置する原稿載置台（コンタクトガラス）１２１、原稿載置台１２１上に設置され複写原稿を覆う原稿カバー１２２、複写原稿の画像情報を読み取って取得する撮像素子（ＣＩＳ）１２３等を備えている。原稿カバー１２２は、後述する自動原稿給紙部１４０の原稿排紙トレイを兼ねている。
【００３１】
画像形成部１３０は、画像形成装置１００の略中央部に配置されている。画像形成装置１００は、イエロー、マゼンタ、シアン、ブラックの４色のトナーでフルカラー画像を形成可能なカラー画像形成装置であり、画像形成部１３０は、４組の感光体１３１Ｙ、１３１Ｍ、１３１Ｃ、１３１Ｋ、帯電器１３２Ｙ他、現像装置１３３Ｙ他と、露光装置１３４、中間転写ベルト１３５、転写ローラ１３６、記録紙搬送ガイド１９４及び定着装置１３７等と、を備えている。画像形成部１３０は、受信部１１０や読取部１２０で取得された一群の画像情報に基づいて記録紙所定枚数に分けて画像を形成し、画像形成順に後述の排紙部１５０に送る。
【００３２】
自動原稿給紙装置１４０は、図１に示すように、読取部１２０の上方に配置されており、原稿給紙トレイ１４１、原稿搬送部１４２等を備えている。原稿給紙トレイ１４１は、自動給紙する複数枚のシート原稿Ｓを積載する。原稿給紙トレイ１４１に積載（セット）された複数枚のシート原稿Ｓは、原稿搬送部１４２によって１枚ずつ分離されて読取部１２０に給紙され、撮像素子１２３により複数枚の一群の画像情報が読取られる。画像情報の読取りを終えたシート原稿Ｓは、原稿排紙トレイを兼ねる原稿カバー１２２上に排紙されて積載される。
【００３３】
排紙部１５０は、正転することにより、画像形成部１３０から送られた画像形成済の記録紙を排紙トレイ１５１に排出したり、逆転することにより、画像形成部１３０から送られた画像形成済の記録紙を後述の反転搬送部１９０に戻したりする排紙ローラ１５２及び記録紙排紙ガイド板１９５等を備えている。画像形成部１３０で画像形成済の記録紙Ｐｓは、排紙部１５０の排紙ローラ１５２により、最終的に、原稿給紙トレイ１４１と原稿排紙トレイを兼ねる原稿カバー１２２との間に配置された排紙トレイ１５１上に排紙され、排紙順に下から上へ積載される。
【００３４】
なお、画像形成装置１００は、図３に示すように、パソコンからのプリント出力などのように、画像情報の読取りを行わない場合には、画像形成済の記録紙Ｐｓを取出しやすくするために、原稿給紙トレイ１４１を折畳めるようになっている。
【００３５】
記録紙を画像形成部１３０に送り込む（給紙する）第１の給紙部１７０は、図２に示すように、コピー用紙またはＯＨＰシートなどの記録媒体としての記録紙Ｐ１（本明細書及び特許請求の範囲において「記録紙」というときは、ＯＨＰシート等の紙以外の記録媒体を含むものとする。）が収容された第１給紙カセット１７１、第１給紙カセット１７１に収容されている記録紙Ｐ１を１枚ずつ分離して給紙する第１給紙ローラ１７２、給紙ガイド板１９１、記録紙搬送ガイド１９３及び記録紙を所定のタイミングで画像形成部１３０に給紙するレジストローラ１９２等を備えている。
【００３６】
第２の給紙部１８０は、第１の給紙部１７０と同様に、記録紙Ｐ２が収容された第２給紙カセット１８１及び第２給紙ローラ１８２等を備えている。
【００３７】
ループ状の反転搬送部１９０は、図２に示すように、画像形成部１３０で画像が形成さ
れた記録紙が排紙部１５０に到達し、排紙ローラ１５２の逆転により戻された記録紙Ｐｓを、記録紙後端部を前（先頭）にして戻された順に画像形成部１３０の上流側の給紙ガイド板１９１まで戻して第１の記録紙給紙部１７０に合流させ、結果的に記録紙Ｐｓを表裏反転させる反転搬送ローラ１９６及び反転搬送ガイド１９７等を備えている。
【００３８】
反転搬送部１９０は、特許文献２に開示されているような、中間トレイや、中間トレイから記録紙を再度搬出するための給紙機構等は備えていない。後端部を前（先頭）にして給紙ガイド板１９１まで戻された画像形成済の記録紙Ｐｓは、画像形成部１３０の転写ローラ１３６、定着装置１３７及び排紙ローラ１５２により搬送され、表裏を反転させて排紙トレイ１５１上に排紙され積載される。
【００３９】
両面印刷を行なわない画像形成装置においては、反転搬送部１９０は、その後端部を画像形成部１３０の下流側、すなわち定着装置１３７の下流側に合流させてもよい。このようにすることにより、反転搬送部の経路を短くかつ簡素にして記録紙のひっかかり等を少なくすることができる。
【００４０】
図２に示すように、画像形成装置１００は、記憶部２１０を有し、読取部１２０、受信部１１０、記憶部２１０、記録紙給紙部１７０、１８０、画像形成部１３０、排紙部１５０及び反転搬送部１９０等を制御して複数枚の記録紙Ｐ１、Ｐ２に画像形成させ、排紙トレイ１５１に排紙させ積載させる、マイクロコンピュータを含む制御部２００を備えている。
【００４１】
図２では、記憶部２１０を有する制御部２００が、操作部１０２の近傍に設置しているが、制御部２００は、受信部１１０と一体のプリント基板上に設置するのがよい。また、画像形成装置１００に接続されたコンピュータ（パソコン）にインストールされたプリンタドライバを制御部２００としてもよい。
【００４２】
記憶部２１０は、読取部１２０や受信部１１０で取得した複数ジョブの各ジョブの画像情報のそれぞれを各ページ毎に分けて記憶し、制御部２００の指令により、ページ順に、又は、逆ページ順に画像形成部１３０に出力する。操作部１０２は、読取部１２０の読取条件や出力部数を設定し制御部２００（記憶部２１０）に入力する。
【００４３】
次に、画像形成装置１００の実施の形態１の動作について説明する。画像形成装置１００は、コピー機能、ファクシミリ機能、及び、パソコン等の外部入力機器（コピー、ファクシミリ及びパソコン等を総称して「画像情報送信手段」という。）からの画像情報である印刷データを印刷するプリンタ機能の３つの機能を有しているが、実施の形態１では、パソコンから２ページの印刷データを４部プリンタ出力する場合について説明する。
【００４４】
パソコン（図示せず）からの２ページの印刷データ（記録紙所定枚数に亘る一群の画像情報）を、ＬＡＮケーブルを通じて受信部１１０で受信（取得）し、記憶部２１０にページ毎に分けて記憶する。
【００４５】
記憶した２ページの印刷データを、第１の給紙部１７０から給紙される記録紙Ｐ１に印刷する場合は、周知の電子写真方式による画像形成プロセスが画像形成部１３０において行われる。
【００４６】
まず、第１部目の第１ページ目の印刷データが、記憶部２１０から読み出され、４色のトナーに対応した各色毎の画像データに分割され、最初にイエローの画像形成を行う感光体１３１Ｙの表面が帯電器１３２Ｙによって約−７００Ｖに一様に帯電される。その後、感光体１３１Ｙ表面に、レーザー光学ユニットである露光装置１３４によりレーザー光が
照射され、イエローの画像データに応じた静電潜像が形成される。
【００４７】
露光装置１３４によってレーザー光が照射された感光体１３１Ｙの表面電位は、−１００Ｖ程度となる。その後、レーザー光が照射された部分にのみ、現像装置１３３Ｙ内のマイナスに帯電されたイエロートナーが現像されて感光体１３１Ｙ上に可視像が形成される。
【００４８】
次に、感光体１３１Ｙ上に現像されたイエロートナーは、プラスの電位を与えられた中間転写ベルト１３５に一次転写される。イエローの画像形成に引き続き、マゼンタ、シアンおよびブラックの各色の画像が、感光体１３１Ｍ、１３１Ｃおよび１３１Ｋの周囲に形成され、各色のトナーが順次中間転写ベルト１３５上に重ね合わされる。
【００４９】
中間転写ベルト１３５上に重ね合わされた４色のトナーは、転写ローラ１３６によって、第１給紙カセット１７１から第１給紙ローラ１７２とレジストローラ１９２により給紙された記録紙Ｐ１に転写されたのち、定着装置１３７によって約１７０℃の熱と圧力を加えられ、記録紙Ｐ１に溶融定着される。その後、画像形成済の記録紙Ｐｓは、排紙ローラ１５２によって搬送され、図４に示すように、排紙トレイ１５１上に、画像形成面を下向きにして排出される。
【００５０】
続いて、第１部目の第２ページ目の印刷データが、記憶部２１０から読み出され、同様に２枚目の記録紙Ｐ１に画像形成され、第１ページ上に、同じく画像形成面を下向きにして排出される。以上説明した制御部２００の制御による画像形成処理が第１の処理である。
【００５１】
次に、第２部目の印刷を行う場合は、先に第２ページ目の印刷データを記憶部２１０から読み出し、先に第２ページ目の画像形成を行う。第１部目と同様に、４色のトナーが記録紙Ｐ１に転写されて定着装置１３７によって溶融定着された後、画像形成済の記録紙Ｐｓが、排紙ローラ１５２によって搬送され、画像形成済の記録紙Ｐｓの後端部が定着装置１３７の下流の搬送経路合流部１９８を通過すると、直ちに排紙ローラ１５２を逆転させ、画像形成済の記録紙Ｐｓを反転搬送部１９０に戻し、記録紙Ｐｓの後端部を前にして反転搬送ローラ１９６に送り込む。
【００５２】
画像形成済の記録紙Ｐｓは、反転搬送ローラ１９６により、反転搬送ガイド１９７を、後端部を前にして図２の上部から下部に向かって搬送された後、画像形成部１３０より下流側に合流し、再び、レジストローラ１９２、転写ローラ１３６、定着装置１３７を経由して、排紙ローラ１５２によって、後端部を前にし画像形成面を上向きにして、第１部目の第２ページ上に排出され積載される。
【００５３】
続いて、第１ページ目の印刷データを記憶部２１０から読み出し、第１ページ目の画像形成が行われ、同様にして、画像形成面を上向きにして、第２部目の第１ページ上に排出され積載される。以上説明した制御部２００の制御による画像形成処理が第２の処理である。
【００５４】
第３部目の出力は、第１部目と同様にページ順に画像形成されて、画像形成面を下向きにして排出され第２部目上に積載され（第１の処理）、４部目の出力は第２部目と同様に逆ページ順に画像形成されて、画像形成面を上向きにして第３部目上に排出され積載される（第２の処理）。
【００５５】
２ページの印刷データを４部出力した時点で、全ての画像形成済の記録紙Ｐｓは、図４に示すように、１部毎に下向き・上向き交互に積載されるため、複数部数の仕分け作業を
容易に行うことができる。
【００５６】
また、画像形成面を下向きにして排出された第１部目と第３部目はもちろん、画像形成面を上向きにして排出された第２部目と第４部目も、ページ順が正しく積載されるため、画像形成済の記録紙Ｐｓを取り出した後に、オペレータがページ順を並べ替える必要がない。
【００５７】
なお、実施の形態１の画像形成装置１００は、図２に示すように、中間転写ベルト１３５が、給紙部１７０から給紙された記録紙Ｐ１の図２の左側面に画像を転写し、排紙部１５０から画像形成面を下向きにして排出するものであるが、図２に示すものとは構造が異なり、中間転写ベルト１３５が、給紙部１７０から給紙された記録紙Ｐ１の図２の右側面に画像を転写し、排紙部１５０から画像形成面を上向きにして排出する画像形成装置では、記憶部２１０に記憶された１ジョブの画像情報を逆ページ順に読み出させ、逆ページ順に読み出された画像情報を用いて前記画像形成部１３０において給紙された複数の記録紙Ｐ１に対し画像形成させ、画像形成部１３０から排紙部１５０に搬送された記録紙Ｐｓを排紙部１５０を経由させて排紙トレイ１５１に画像形成面を上向きにして排出させるよう制御する第１の処理と、記憶部２１０に記憶された前記１ジョブの画像情報をページ順に読み出させ、ページ順に読み出された画像情報を用いて画像形成部１３０において給紙された複数の記録紙Ｐ１に対し画像形成させ、画像形成部１３０から排紙部１５０に搬送された記録紙Ｐｓを反転搬送部１９０、排紙部１５０を経由させて排紙トレイ１５１に画像形成面を下向きにして排出させるよう制御する第２の処理と、を制御部２００による制御により交互に行なわせる。
（実施の形態２）
次に、図２及び図５を参照して、本発明の実施の形態２について説明する。実施の形態２の画像形成装置１００は、ファクシミリ及びパソコン等の異なる複数種類の画像情報送信手段が送信してくる異なる複数の画像形成ジョブ毎に、記録紙の画像形成面の表裏を切換えて、排紙トレイ１５１上に出力し積載するものである。
【００５８】
実施の形態２では、次の４つの画像形成ジョブが順に行われる場合について説明する。
【００５９】
ジョブ１：ファクシミリ受信データを、２ページ出力する。
【００６０】
ジョブ２：パソコンから、３ページの印刷データを１部プリントする。
【００６１】
ジョブ３：パソコンから、１ページの印刷データを１部プリントする。
【００６２】
ジョブ４：ファクシミリ受信データを、２ページ出力する。
【００６３】
図５は、上記４つのジョブが終了した時点で、排紙トレイ１５１上に積載された画像形成済の記録紙Ｐｓの状態を示す斜視図である。
【００６４】
第１の処理としてのジョブ１において、ファクシミリ受信データの第１ページ目は、実施の形態１で説明した第１部目の第１ページ目と同様に、記録紙Ｐ１にファクシミリ受信データの画像が形成され、画像形成面を下向きにして（すなわちフェースダウンで）、排紙トレイ１５１上に排出され積載される。
【００６５】
続いて、第２ページ目は、先にファクシミリ受信データであることを示す識別マークとしての「ＦＡＸ」マークが記録紙Ｐ１上に画像形成される。「ＦＡＸ」マークが画像形成された記録紙Ｐ１は、排紙ローラ１５２によって搬送され、記録紙Ｐ１の後端部が定着装置１３７下流の搬送経路合流部１９８を通過すると、直ちに排紙ローラ１５２を逆回転さ
せることによって、反転搬送ローラ１９６に送り込まれる。
【００６６】
記録紙Ｐ１は反転搬送ローラ１９６によって、反転搬送経路１９７を図２の上部から下部に向かって搬送された後、画像形成部１３０より下流側に合流し、再びレジストローラ１９２を経由して、画像形成部１３０に再搬送される。
【００６７】
画像形成部１３０の転写ローラ１３６および定着装置１３７により、ファクシミリ受信データの第２ページ目の画像情報が、記録紙Ｐ１の「ＦＡＸ」マークが画像形成された面の反対面に画像形成された後、排紙ローラ１５２によって、ファクシミリ受信データの画像形成面を裏向きにして、排紙トレイ１２２上に排出される。以上が第１の処理である。
【００６８】
このとき、図５に示すように、「ＦＡＸ」マークは、排紙トレイ１５１上で上側となる面に画像形成されているため、このジョブがファクシミリ受信データであることが容易に認識できるようになる。
【００６９】
次に、第２の処理としてのジョブ２においては、パソコンからの３ページのプリントが行われるが、ジョブ１との区別ができるように、画像形成面を上向きにして（すなわちフェースアップで）、排紙トレイ１５１上に排出される。このとき、ページ順が正しくなるように、ジョブ２では、逆ページ順に画像形成を行う。
【００７０】
次に、第１の処理としてのジョブ３においては、ジョブ２との区別ができるように、画像形成済の記録紙Ｐｓが、画像形成面を下向きにして排紙トレイ１５１上に排出される。
【００７１】
次に、第２の処理としてのジョブ４においては、やはりジョブ３との区別ができるように、画像形成済の記録紙Ｐｓを、画像形成面を上向きに切換えて排紙トレイ１５１上に排出するが、このとき、ページ順が正しくなるように、逆ページ順に画像形成を行う。
【００７２】
また、ジョブ４がファクシミリ受信データの出力であることを示す「ＦＡＸ」マークは、排紙トレイ１５１上で上向きになる面、すなわちファクシミリ受信データの画像形成面に、ファクシミリ受信データと合成されて、画像形成される。
【００７３】
このように、ジョブ１では、「ＦＡＸ」マークをファクシミリ受信データの反対面に画像形成し、ジョブ４では「ＦＡＸ」マークをファクシミリ受信データと同じ面に画像形成したが、どちらも、排紙トレイ１５１上で上向きの面に「ＦＡＸ」マークを画像形成したので、当該ジョブがファクシミリ受信データであることが容易に認識できる。
【００７４】
実施の形態２では、特定のジョブであるファクシミリ受信データの出力に際して、その最終排出記録紙にのみ、「ＦＡＸ」マークを画像形成したが、ファクシミリ受信データの全ての記録紙に「ＦＡＸ」マークを印刷してもよい。
【００７５】
また、実施の形態２では、ファクシミリ受信データの出力を特定のジョブとしたが、特定のパソコンからの出力や、緊急を要する出力にだけ、識別マークを画像形成するようにしてもよい。
【００７６】
なお、実施の形態２の画像形成装置１００は、図２に示すように、中間転写ベルト１３５が、給紙部１７０から給紙された記録紙Ｐ１の図２の左側面に画像を転写し、排紙部１５０から画像形成面を下向きにして排出するものであるが、図２に示すものとは構造が異なり、中間転写ベルト１３５が、給紙部１７０から給紙された記録紙Ｐ１の図２の右側面に画像を転写し、排紙部１５０から画像形成面を上向きにして排出する画像形成装置では、記憶部２１０に記憶された複数ジョブの画像情報の内、所定のジョブの画像情報を逆ペ
ージ順に読み出させ、逆ページ順に読み出された画像情報を用いて画像形成部１３０において給紙された記録紙Ｐ１に対し画像形成させ、画像形成部１３０から排紙部１５０に搬送された記録紙Ｐｓを排紙部１５０を経由させて排紙トレイ１５１に画像形成面を上向きにして排出させるよう制御する第１の処理と、記憶部２１０に記憶された次のジョブの画像情報をページ順に読み出させ、ページ順に読み出された画像情報を用いて画像形成部１３０において給紙された記録紙Ｐ１に対し画像形成させ、画像形成部１３０から排紙部１５０に搬送された記録紙Ｐｓを反転搬送部１９０、排紙部１５０を経由させて排紙トレイ１５１に画像形成面を下向きにして排出させるよう制御する第２の処理と、を制御部２００の制御により交互に行なわせる。
【産業上の利用可能性】
【００７７】
本発明に係る画像形成装置は、オペレータが自分の必要とする記録紙を容易に識別して取り出すことができ、また、複数ページの記録紙を複数部数出力したときに、各部ごとの区分も識別しやすく、記録紙の仕分け作業の負担を大きく軽減できるので、コピー、ファクシミリ、プリンタ等の複数の機能を１台で果たすことのできるデジタル複合機、及びネットワーク接続することによって複数のオペレータが各々のパソコンから画像データを出力できるネットワークプリンタ等の画像形成装置として有用である。
【図面の簡単な説明】
【００７８】
【図１】本発明の実施の形態１、２の画像形成装置の外観を示す斜視図
【図２】画像形成装置の全体構成を示す断面図
【図３】画像形成装置の原稿給紙トレイを折りたたんで収納した状態を示す斜視図
【図４】実施の形態１の画像形成装置の排紙トレイ上に積載された画像形成済の記録紙の状態を示す斜視図
【図５】実施の形態２の画像形成装置の排紙トレイ上に積載された画像形成済の記録紙の状態を示す斜視図
【符号の説明】
【００７９】
１００  画像形成装置
１１０  受信部
１２０  読取部  １３０  画像形成部
１３１Ｙ，１３１Ｍ，１３１Ｃ，１３１Ｋ  感光体
１３２Ｙ  帯電器
１３３Ｙ  現像装置
１３４  露光装置
１３５  中間転写ベルト
１３６  転写ローラ
１３７  定着装置
１４０  自動原稿給紙装置
１４１  原稿給紙トレイ
１５０  排紙部
１５１  排紙トレイ
１５２  排紙ローラ
１７０  第１の給紙部
１８０  第２の給紙部
１９０  ループ状の反転搬送部
１９２  レジストローラ
１９６  反転搬送ローラ
Ｓ  シート原稿
Ｐ１，Ｐ２  記録紙（記録媒体）
Ｐｓ  画像形成済の記録紙
【図１】
2007156213.tif 000003
【図２】
2007156213.tif 000004
【図３】
2007156213.tif 000005
【図４】
2007156213.tif 000006
【図５】
2007156213.tif 000007